(57)【要約】【課題】より簡単で、かつより的確に利用者の指示を受け付けることができる画像形成装置を提供する。【解決手段】画像形成に係るジョブの実行条件の設定を受け付け、該実行条件に基づいて前記ジョブの実行を行うデジタル複合機において、前記ジョブの実行に際して受け付けるべき設定項目の候補を、設定の詳細度に応じてグループ分けして記憶している記憶部と、該記憶部が記憶している何れかのグループの候補を音声で出力する音声出力部と、該音声出力部が出力したグループの候補の何れかを選択的に受け付ける音声受付部とを備え、音声出力部が出力した設定項目の候補に基づいて音声受付部が設定項目の候補の受け付けを行う。【選択図】図３
2011193139.tif 000002
【特許請求の範囲】
【請求項１】
画像形成に係るジョブの実行条件の設定を受け付け、該実行条件に基づいて前記ジョブの実行を行う画像形成装置において、
前記ジョブの実行に際して受け付けるべき設定項目の候補を、設定の詳細度に応じてグループ分けして記憶している記憶手段と、
該記憶手段が記憶している何れかのグループの候補を音声で出力する出力手段と、
前記出力手段が出力したグループの候補の何れかを選択的に受け付ける受付手段と
を備えていることを特徴とする画像形成装置。
【請求項２】
前記受付手段は音声を認識する音声認識手段を有していることを特徴とする請求項１に記載の画像形成装置。
【請求項３】
前記受付手段が受け付けた候補が最も詳細度の高いグループに属するか否かを判定する判定手段と、
前記受付手段が受け付けた候補が最も詳細度の高いグループに属しない場合、受け付けた候補が属するグループより詳細度の高いグループの候補を、前記記憶手段から読み取る読取手段とを備え、
該読取手段が読み取った候補を前記出力手段が音声で出力するように構成してあることを特徴とする請求項１又は２に記載の画像形成装置。
【請求項４】
前記受付手段が受け付けた候補が最も詳細度の高いグループに属する場合、前記ジョブの実行を指示する実行指示手段を備えていることを特徴とする請求項３に記載の画像形成装置。
【請求項５】
前記受付手段が受け付けた候補を前記出力手段に再度出力させる再出力指示手段を備えていることを特徴とする請求項１から３の何れか一つに記載の画像形成装置。
【発明の詳細な説明】
【技術分野】
【０００１】
本発明は、画像形成に係るジョブの実行条件の設定を受け付け、該実行条件に基づいて前記ジョブの実行を行う画像形成装置に関する。
【背景技術】
【０００２】
近年の技術の発展は、各種電気機器における多機能化と共に機能の充実化を実現してきた。このような多機能化に伴い、ユーザが当該電気機器に一つの機能を実行させる場合は、先ず、該電気機器の数多い機能を認識し、その中から一つを選択することになり、機能選択におけるユーザの負担を増加させる上に、選択操作ミスの可能性を拡大させる結果となった。
【０００３】
例えば、特許文献１には、すべての操作項目を機能別に分類し、その分類を更に最終的な設定項目に至るまで細分化した多階層の木構造を持つ階層メニューを有する機器の機器操作装置であって、利用者がキーワードを発声した場合は、同じキーワードを含む前記機器の操作項目と、該操作項目を説明する音声情報とを対応付けた操作支援情報の操作支援情報ファイルを作成した後、前記キーワードに対して音声認識を行い、該認識結果及び前記操作支援情報ファイルに基づいて、前記キーワードに該当する操作項目を探し出す検索処理を行う機器操作装置が開示されている。
【先行技術文献】
【特許文献】
【０００４】
【特許文献１】特開２００３−１３１７７３号公報
【発明の概要】
【発明が解決しようとする課題】
【０００５】
しかしながら、特許文献１の機器操作装置は、利用者が発声したキーワードから該当する操作項目を探し出す検索処理の際、前記操作支援情報ファイルの作成を必要としており、該操作支援情報ファイルは、前記階層メニューから同じキーワードを含む候補操作項目を集めたものであるので、候補操作項目の数が多くなる上に、同じキーワードを有するものの事実上関連性のない候補操作項目が多く含まれることとなる。更にこのような操作支援情報ファイルに基づいて検索処理を行うので、利用者が希望する操作項目と異なる操作項目が検索される可能性が高くなるという問題がある。
【０００６】
本発明は、斯かる事情に鑑みてされたものであり、その目的とするところは、画像形成に係るジョブの実行条件の設定を受け付け、該実行条件に基づいて前記ジョブの実行を行う画像形成装置において、前記ジョブの実行に際して受け付けるべき設定項目の候補を、設定の詳細度に応じてグループ分けして記憶している記憶手段と、該記憶手段が記憶している何れかのグループの候補を音声で出力する出力手段と、前記出力手段が出力したグループの候補の何れかを選択的に受け付ける受付手段とを備え、前記出力手段が出力した設定項目の候補に基づいて前記受付手段が設定項目の候補の受け付けを行うことにより、上述した操作支援情報ファイルの作成を必要とせず、利用者が希望する設定項目の候補と異なる設定項目の候補を受け付ける可能性を抑制でき、より簡単で、かつより的確に利用者の指示を受け付けることができる画像形成装置を提供することにある。
【課題を解決するための手段】
【０００７】
本発明に係る画像形成装置は、画像形成に係るジョブの実行条件の設定を受け付け、該実行条件に基づいて前記ジョブの実行を行う画像形成装置において、前記ジョブの実行に際して受け付けるべき設定項目の候補を、設定の詳細度に応じてグループ分けして記憶している記憶手段と、該記憶手段が記憶している何れかのグループの候補を音声で出力する出力手段と、前記出力手段が出力したグループの候補の何れかを選択的に受け付ける受付手段とを備えていることを特徴とする。
【０００８】
本発明にあっては、前記出力手段が前記記憶手段の記憶している何れかのグループの候補を音声で出力し、前記受付手段は前記出力手段が出力したグループの候補の中の何れかを受け付ける。すなわち、前記受付手段による候補の受付は、前記出力手段が出力したグループの候補に基づいて行われる。
【０００９】
本発明に係る画像形成装置は、前記受付手段は音声を認識する音声認識手段を有していることを特徴とする。
【００１０】
本発明にあっては、前記受付手段が音声認識手段を有するので、前記出力手段が出力したグループの候補の中の何れかを、利用者が発音した場合、発音された候補を受け付けることが出来る。
【００１１】
本発明に係る画像形成装置は、前記受付手段が受け付けた候補が最も詳細度の高いグループに属するか否かを判定する判定手段と、前記受付手段が受け付けた候補が最も詳細度の高いグループに属しない場合、受け付けた候補が属するグループより詳細度の高いグループの候補を、前記記憶手段から読み取る読取手段とを備え、該読取手段が読み取った候補を前記出力手段が音声で出力するように構成してあることを特徴とする。
【００１２】
本発明にあっては、前記受付手段が受け付けた候補が最も詳細度の高いグループに属しないと前記判定手段によって判定された場合、前記読取手段は受け付けた候補が属するグループより詳細度の高いグループの候補を前記記憶手段から読み取り、前記読取手段が読み取った候補を前記出力手段が音声で出力する。
【００１３】
本発明に係る画像形成装置は、前記受付手段が受け付けた候補が最も詳細度の高いグループに属する場合、前記ジョブの実行を指示する実行指示手段を備えていることを特徴とする。
【００１４】
本発明にあっては、前記受付手段が受け付けた候補が最も詳細度の高いグループに属すると前記判定手段によって判定された場合、前記実行指示手段が前記ジョブの実行を指示する。
【００１５】
本発明に係る画像形成装置は、前記受付手段が受け付けた候補を前記出力手段に再度出力させる再出力指示手段を備えていることを特徴とする。
【００１６】
本発明にあっては、前記受付手段が候補を受け付けた場合、該候補を再度出力するように、前記再出力指示手段が前記出力手段に指示する。
【発明の効果】
【００１７】
本発明によれば、前記出力手段が出力した設定項目の候補に基づいて、該設定項目の候補の何れかを前記受付手段が受け付けるので、前記操作支援情報ファイルの作成を必要とせず、利用者が希望する設定項目の候補と異なる設定項目の候補を受け付ける可能性を抑制できる上に、より簡単で、かつより的確に利用者の指示を受け付けることができる。
【図面の簡単な説明】
【００１８】
【図１】本発明に係る画像形成装置の要部構成を示す機能ブロック図である。
【図２】本発明のデジタル複合機の記憶部の記憶領域の構成を概念的に表す概念図である。
【図３】本発明のデジタル複合機の制御部の要部構成を示す機能ブロック図である。
【図４】本発明のデジタル複合機による所定のジョブの実行例を示すフローチャートである。
【発明を実施するための形態】
【００１９】
以下に、本発明の実施の形態に係る画像形成装置を、デジタル複合機に適用した場合を例として、図面に基づいて詳述する。
【００２０】
本発明に係る画像形成装置は、所定のジョブの実行条件の設定を受け付け、該実行条件に基づいて前記ジョブの実行を行う。また、前記ジョブの実行に際して受け付けるべき設定項目の候補が予め記憶されており、記憶されている設定項目の候補が音声で出力されて列挙され、利用者が該候補の中から何れかの候補を選択して発音することにより、実行条件の設定項目を受け付けることができるように構成されている。
【００２１】
図１は本発明に係る画像形成装置の要部構成を示す機能ブロック図である。図中、符号１は本発明に係る画像形成装置としてのデジタル複合機を示している。
デジタル複合機１は、画像読取部２、画像処理部３、画像出力部６、記憶部４（記憶手段）、通信部５、音声出力部７（出力手段）、操作パネル８及び音声受付部９（受付手段）等のハードウェアを備えており、これらハードウェアはバスＮによって制御部１０と接続されている。制御部１０はこれらハードウェアを制御することにより、全体として本発明のデジタル複合機１を構成している。
【００２２】
画像読取部２は、ジョブの対象たる原稿の画像データの光学的読み取りを行う。また、画像読取部２は、読み取り用の原稿に光を照射する光源、例えばＣＣＤ（ Charge Coupled Device）のようなイメージセンサ等を有する光学ユニット備えている。画像読取部２では、所定の読取り位置にセットされた原稿からの反射光像を当該イメージセンサに結像させ、ＲＧＢ（R : Red, G : Green, B : Blue）のアナログ電気信号を出力する。画像読取部２が出力したアナログ電気信号は画像処理部３に入力される。
【００２３】
画像処理部３は、例えば画像読取部２を通じて入力されるアナログ電気信号を基にデジタル形式の画像データを生成し、又は記憶部４に記憶されている画像データを読み出し、夫々の画像の種類に応じた処理を施した後、出力用画像データを生成する。また、画像処理部３によって生成された出力用画像データは、画像出力部６又は通信部５に出力される。
【００２４】
通信部５は、画像処理部３にて処理した後の出力用画像データを外部へ送信するためのネットワークカード、モデム等を備え、例えば、前記出力用画像データをメールに添付して設定された送信先に送信する。
【００２５】
画像出力部６は、画像処理部３から出力される出力用画像データに基づいて記録用紙、ＯＨＰフィルム等のシート上に画像形成を行い、文書を出力する。そのため、画像出力部６は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を用紙上に転写する転写器等（図示せず）を備えており、電子写真方式にて利用者が所望する画像をシート上に形成する。なお、レーザ書込装置を用いた電子写真方式により画像形成を行う他、インクジェット方式、熱転写方式、昇華方式等により画像形成を行う構成であってもよい。
【００２６】
また、操作パネル８は、デジタル複合機１の重要機能に係る、「ファックス」、「複写」、「印刷」、「メール」等の機能ボタン、テンキー、受け付けた指示を確定するためのエンターキー、及び液晶ディスプレイ等の表示部８１を備えている。
【００２７】
音声出力部７は、スピーカ７１及び音声合成部７２を備えており、後述する候補読取部１６によって読み取られる所定のグループの設定項目の候補を、スピーカ７１を介して音声で出力する。音声合成部７２は、例えば、スピーカ７１を介して出力すべき設定項目の候補を表すテキストデータを音声合成にて読み上げることにより、音声出力を行う。
【００２８】
音声受付部９は、マイク９１及び音声認識部９２を備えており、利用者から音声による指示を受け付ける。マイク９１は利用者が発音する音声を受け付け、音声信号に変換して音声認識部９２に出力する。音声認識部９２は、入力された音声信号に基づいて音声の内容を認識し、認識結果に基づいて、特定のデータを出力する。
【００２９】
記憶部４は、例えば、不揮発性の半導体メモリからなり、画像処理用の画像データ、所定のジョブの実行に際して受け付けるべき該ジョブの実行条件に係る設定項目の候補等を予め記憶している。なお、夫々の候補に対応するテキストデータが共に記憶されており、該テキストデータを用いて音声合成部７２が音声出力を行う。
【００３０】
また、記憶部４は、前記設定項目の候補を設定の詳細度に応じてグループ分けして記憶している。図２は本発明のデジタル複合機１の記憶部４の記憶領域の構成を概念的に表す概念図である。例えば、記憶部４は、前記設定項目の候補をメイングループ毎に分けて、設定の詳細度に応じていわゆる階層構造を用いて記憶している。各メイングループは設定の種別に、一又は複数のサブグループにさらに分けられている。前記階層構造においては、上位から下位メイングループに行くほど、ジョブの実行条件の設定の詳細度が高くなる。すなわち、下位メイングループに行くほど、詳細な実行条件設定のための設定項目が記憶されている。
【００３１】
例えば、原稿を変倍してコピーするジョブの例では、メイングループ２に「倍率設定」の設定項目の候補が属しており、より下位のメイングループ３の当該サブグループには「倍率設定」より詳細な設定項目の候補である「拡大」及び「縮小」の設定項目の候補が属している。なお、メイングループ４の当該サブグループには、「拡大」及び「縮小」より更に詳細な設定項目の候補である、「拡大率」の設定項目の候補、並びに「縮小率」の設定項目の候補が属しており、それぞれ別のサブグループにて分けられている。
【００３２】
また、サブグループには、それより下位のメイングループが存在しない場合、換言すれば、それより詳細な設定項目が存在しない場合、当該サブグループが属するメイングループが最下位でる旨を表す最下位特定データが書き込まれている。すなわち、設定項目の候補によっては、２つのメイングループに亘る場合、３つのメイングループに亘る場合等、夫々異なるので、前記最下位特定データの有無を確認することにより、最下位メイングループであるか否かの判定が可能となる。
【００３３】
従って、例えば、メイングループ３のサブグループであるグループ３−３例のように、最下位メイングループが他より相対的に上位である場合であっても、前記最下位特定データの有無を確認することにより、最下位メイングループに属することを正確に判定することが出来る。
【００３４】
図３は本発明のデジタル複合機１の制御部１０の要部構成を示す機能ブロック図である。制御部１０は、ＣＰＵ１１と、ＲＯＭ１２と、ＲＡＭ１３と、属否判定部１４（判定手段）と、再出力指示部１５（再出力指示手段）と、候補読取部１６（読取手段）と、実行指示部１７（実項指示手段）とを備えている。
【００３５】
ＲＯＭ１２には各種の制御プログラムが予め格納されており、ＲＡＭ１３は、複数のデータを記憶し、記憶順、記憶位置等に関係なく読み出すことが可能である。また、ＲＡＭ１３は、例えば、ＲＯＭ１２から読み出されたプログラム、該プログラムを実行することにより発生するデータ、外部から受信したデータ等を一時的に記憶する。ＲＡＭ１３は、ＣＰＵ１１の読出指示に応じて記憶してある各種データ等を適宜読み出す。
【００３６】
ＣＰＵ１１は、ＲＯＭ１２に予め格納されている制御プログラムをＲＡＭ１３上にロードして実行することによって前述の各種ハードウェアの制御を行い、デジタル複合機１を本発明に係る再生装置として動作させる。
【００３７】
属否判定部１４は、所定のジョブの実行に際して、音声受付部９が受け付けた音声に係る設定項目の候補が、記憶部４に記憶されているグループの候補の中、前記詳細度の最も高いグループ（メイングループ）に属するか否か、換言すれば、最下位グループ（メイングループ）に属するか否かを判定する。斯かる判定は、上述したように、前記候補が属するサブグループに前記最下位特定データが書き込まれているか否かを確認することにより行われる。
【００３８】
再出力指示部１５は、音声受付部９が音声に係る設定項目の候補を受け付けた場合、該設定項目の候補に対応するテキストデータを音声合成部７２が音声合成にて読み上げてスピーカ７１を介して再度音声出力するように、音声出力部７に指示する。
【００３９】
候補読取部１６は、属否判定部１４による判定の結果、音声受付部９が受け付けた音声に係る設定項目の候補が、前記詳細度の最も高いメイングループに属しないと判定された場合、該設定項目の候補が属するメイングループより下位メイングループの候補を、記憶部４から読み取る。すなわち、候補読取部１６は、音声受付部９が受け付けた音声に係る設定項目の候補が属するメイングループより前記詳細度の高いメイングループの候補を、記憶部４から読み取る。
【００４０】
実行指示部１７は、例えば、属否判定部１４による判定の結果、音声受付部９が受け付けた音声に係る設定項目の候補が、前記詳細度の最も高いメイングループに属すると判定された場合、受け付けた設定項目に基づき、前記所定のジョブの実行を指示する。
【００４１】
図４は本発明のデジタル複合機１による所定のジョブの実行例を示すフローチャートである。説明の便宜上、利用者は原稿を所定の倍率に拡大してコピーするための実行条件の設定を行い、該実行条件の設定に従って前記原稿のコピーが行われるものとする。前記説明は図２の記載内容に基づいて行う。
【００４２】
利用者は原稿を画像読取部２の原稿台（図示せず）に載置する。その後、利用者は音声受付部９のマイク９１に向けて、「詳細設定」と発音する。これにより、ＣＰＵ１１は、マイク９１を介して利用者の指示を受け付ける（ステップＳ１０１）。
【００４３】
次いで、ＣＰＵ１１は音声認識部９２に指示することにより、受け付けた音声の音声認識を行う（ステップＳ１０２）。その後、ＣＰＵ１１は、音声認識部９２による音声認識の結果及び、記憶部４が記憶している階層構造のメイングループ１の候補に基づき、受け付けた指示が「コピー」の指示であるか否かを判定する（ステップＳ１０３）。
【００４４】
ＣＰＵ１１は受け付けた指示が「コピー」の指示であると判定した場合（ステップＳ１０３：ＹＥＳ）、ステップＳ１１２の処理に移動し、画像読取部２に前記原稿の読み取りの開始を指示し、画像処理部３に出力用の画像データの出力を指示し、画像出力部６に該出力用画像データに基づく画像形成を指示することにより、前記原稿のコピーの実行を指示する。
【００４５】
一方、ステップＳ１０３にて、受け付けた指示が「コピー」の指示でないと判定した場合（ステップＳ１０３：ＮＯ）、ＣＰＵ１１は、受け付けた指示が「クリア」の指示であるか否かを判定する（ステップＳ１０４）。
【００４６】
ＣＰＵ１１は受け付けた指示が「クリア」の指示であると判定した場合（ステップＳ１０４：ＹＥＳ）、ステップＳ１０１にて受け付けた指示を無効にし、処理を最初に戻して次の指示を受け付けるまで待機する。
【００４７】
一方、受け付けた指示が「クリア」の指示でないとＣＰＵ１１が判定した場合（ステップＳ１０４：ＮＯ）、候補読取部１６は、前記階層構造のメイングループ１より下位であるメイングループ２の設定項目の候補を読み取り（ステップＳ１０５）、ＲＡＭ１３に書き込む。
【００４８】
次いで、ＣＰＵ１１は、ＲＡＭ１３に書き込まれているメイングループ２の設定項目の候補の出力を音声出力部７に指示する（ステップＳ１０６）。ＣＰＵ１１の指示に従って音声出力部７の音声合成部７２は音声合成を行い、メイングループ２の各設定項目の候補を表す音声を、スピーカ７１を介して出力して列挙する。
【００４９】
斯かる場合、利用者は、音声にて列挙された各設定項目の候補の中から、何れか一つを選択する。該選択は、利用者が列挙された設定項目の候補の中の何れかを発音することによって行われる。
例えば、デジタル複合機１（音声出力部７）はメイングループ２の設定項目の候補である、「倍率設定」、「仕上げ設定」、「用紙設定」及び「編集設定」を音声出力して列挙した後、「何れかを選択してください。」との音声案内を更に行う。この際、拡大コピーを希望する利用者は、「倍率設定」を発音することにより、「倍率設定」の設定項目の候補を選択する。
【００５０】
このように利用者によって発音された設定項目の候補（音声）を、ＣＰＵ１１は音声受付部９のマイク９１を介して受け付ける（ステップＳ１０７）。次いで、ＣＰＵ１１は音声認識部９２に指示することにより、受け付けた音声の音声認識を行う（ステップＳ１０８）。ＣＰＵ１１の指示に従って、音声認識部９２は、ＲＡＭ１３に書き込まれているメイングループ２の設定項目の候補と対照し、音声認識を行う。すなわち、ステップＳ１０６にて音声で出力された設定項目の候補に基づき、音声認識を行う。
【００５１】
このように、グループ単位の設定項目の候補に基づいて音声認識が行われるので、前記階層構造全体の設定項目の候補に基づいて音声認識を行う場合に比べ、誤認識の虞を低減させることが出来る。例えば、騒音が大きい作業場で使用される場合であっても、周囲の騒音により、利用者の発音（指示）が誤認識されることを抑制することが出来る。
【００５２】
その後、再出力指示部１５は、音声認識部９２による音声認識結果に対応するメイングループ２の何れかの設定項目の候補を再度出力するように、音声出力部７に指示する（ステップＳ１０９）。再出力指示部１５の指示に従って、音声出力部７は、音声受付部９が受け付けた設定項目の候補であって、音声認識部９２による音声認識結果に係る設定項目の候補を表す音声を再度音声出力する。
【００５３】
例えば、音声認識部９２による音声認識結果に対応するメイングループ２の設定項目の候補が「倍率設定」である場合、デジタル複合機１（音声出力部７）が「倍率設定」を再度音声出力した後、「よろしいでしょうか。」との音声案内を更に行う。これにより、利用者は自分の選択を確かめることが出来る。
【００５４】
次いで、ＣＰＵ１１は、音声認識部９２の認識結果に基づき、利用者の確認があったか否かの判定を行う（ステップＳ１１０）。ＣＰＵ１１は、利用者の確認がなかったと判定した場合（ステップＳ１１０：ＮＯ）、例えば、音声認識部９２の認識結果に基づき、「いいえ」、「ちがう」等の音声を受け付けたと判定した場合は、ステップＳ１０６の処理に戻り、メイングループ２の設定項目の候補の出力を音声出力部７に指示し、メイングループ２の設定項目の候補を音声で出力して再度列挙する。
【００５５】
一方、ＣＰＵ１１は、利用者の確認があったと判定した場合（ステップＳ１１０：ＹＥＳ）、例えば、音声認識部９２の認識結果に基づき、「はい」、「うん」、「いいよ」、「よろしい」等の音声を受け付けたと判定した場合、受け付けた設定項目の候補をＲＡＭ１３に記憶する。づいて、属否判定部１４は、受け付けた設定項目の候補が最下位メイングループに属しているか否かを判定する（ステップＳ１１１）。換言すれば、属否判定部１４は、前記「倍率設定」が最も前記詳細度が高いグループに属しているか否かを判定する。斯かる判定は、上述したように、属否判定部１４が、前記「倍率設定」の設定項目の候補が属するサブグループに対して前記最下位特定データの有無を確認することにより行われる。
【００５６】
属否判定部１４によって、最下位メイングループに属していないと判定された場合（ステップＳ１１１：ＮＯ）、ＣＰＵ１１はステップＳ１０５に処理を戻し、候補読取部１６は、前記「倍率設定」の設定項目の候補が属するメイングループより下位グループの設定項目の候補を読み取り（ステップＳ１０５）、ＲＡＭ１３に書き込む。すなわち、候補読取部１６は、前記「倍率設定」の設定項目の候補が属するメイングループより詳細度の高い下位メイングループ３のグループ３−１に記憶されている設定項目の候補を読み取ってＲＡＭ１３に書き込む。
【００５７】
その後、詳述したように、ステップＳ１０５からステップＳ１１１までの処理が繰り返して行われる。これによって、設定項目の候補を受け付け、受け付けた設定項目の候補を、換言すれば、ジョブの実行条件をＲＡＭ１３に記憶する。
【００５８】
一方、属否判定部１４によって、受け付けた設定項目の候補が最下位メイングループに属すると判定された場合（ステップＳ１１１：ＹＥＳ）、すなわち、受け付けた設定項目の候補が最も前記詳細度が高いグループに属していると判定した場合、ＣＰＵ１１はステップＳ１１２の処理に移動し、ＲＡＭ１３に記憶されている、ジョブの実行条件（設定項目の候補）に基づき、前記原稿の拡大コピーの実行を指示する。
【００５９】
以上の記載のように、本発明のデジタル複合機１においては、利用者が希望するジョブの実行において、利用者の手による操作を一切不要とする。従って、一般人にとっては操作キーを視認する必要がなくなり、操作ミスを抑制することが出来る。また、目の不自由な人、体の不自由な人であっても、自由に本発明のデジタル複合機１を利用することが出来る。
【００６０】
以上の記載においては、原稿のコピーを例として説明したがこれに限るものでない。例えば、原稿の仕上げ、コピーの際の用紙設定等の場合、更に原稿の読取、読み取った原稿の画像データの送信等の場合においても同一の効果を奏することは言うまでもない。
【００６１】
以上の記載においては、記憶部４が階層構造にて設定項目の候補を記憶している場合を例として説明したが、これに限るものでない。例えば、各グループが前記詳細度を異にして、並列される構造であっても良い。
【００６２】
なお、本発明のデジタル複合機１は、以上に記載した構成に限るものでない。音声出力部７のスピーカ７１を介して所定グループの設定項目の候補が音声出力される場合、該グループの設定項目の候補を表示部８１にも同時に表示するように構成しても良い。
【００６３】
なお、表示部８１にタッチパネルを設け、音声出力部７のスピーカ７１を介して所定グループの設定項目の候補が音声出力される場合、該グループの設定項目の候補を表示部８１にソフトキーとして形成され、該ソフトキーをタッチすることによって、当該ソフトキーに対応する設定項目の候補を受け付けるように構成しても良い。
【符号の説明】
【００６４】
１  デジタル複合機
４  記憶部
７  音声出力部
９  音声受付部
１４  属否判定部
１５  再出力指示部
１６  候補読取部
１７  実行指示部
【図１】
2011193139.tif 000003
【図２】
2011193139.tif 000004
【図３】
2011193139.tif 000005
【図４】
2011193139.tif 000006